(57)【特許請求の範囲】
【請求項１】
写真投稿者が投稿情報及び前記投稿情報に関連するデータを投稿するための投稿者端末と、
前記投稿情報を格納するデータベースと、
前記データベースに格納された前記投稿情報を閲覧者が閲覧する閲覧者端末と、
前記閲覧者端末より前記閲覧者の属性情報を取得する閲覧者属性情報取得手段と、
前記閲覧者属性情報取得手段により取得した前記閲覧者属性情報を格納する属性情報データベースと、
前記閲覧者端末より前記閲覧者の閲覧情報を取得するログデータ取得手段と、
前記閲覧者の閲覧情報を取得するログデータ取得手段により取得したログデータを格納するログデータベースと、
前記ログデータベースと前記属性情報データベースに格納された情報を照合し統計分析する分析システムと、
観光企画を行うマーケティング需要者端末と前記分析システムとを接続する通信手段と、
前記分析システムによる統計分析情報を閲覧するための前記マーケティング需要者端末と
を備える旅行マーケティングデータ提供システム。
【請求項２】
前記投稿者端末がＧＰＳ情報を含む投稿情報を投稿するためのアプリケーションをさらに備えることを特徴とする請求項１に記載の旅行マーケティングデータ提供システム。
【請求項３】
前記閲覧者端末が、閲覧者の住所、性別、生年月日、家族構成、職業をはじめとする閲覧者の属性を登録するためのアプリケーション及び閲覧する地名やカテゴリーの指定をするためのアプリケーションをさらに備えることを特徴とする請求項１に記載の旅行マーケティングデータ提供システム。
【請求項４】
前記マーケティング需要者端末の利用状況に応じたマーケティング需要者に対する課金手段をさらに備えることを特徴とする請求項１に記載の旅行マーケティングデータ提供システム。
【請求項５】
前記閲覧者端末からの閲覧頻度の高い投稿情報及び前記投稿情報に関連するデータを自動的に組み合わせ、閲覧端末におすすめ旅行コース又はおすすめスポット情報を提供するおすすめコース等設定システムをさらに備えることを特徴とする請求項１に記載の旅行マーケティングデータ提供システム。
【請求項６】
前記投稿者端末の投稿状況又は前記閲覧者端末の閲覧状況に応じた前記写真投稿者又は前記閲覧者に対する課金手段をさらに備えることを特徴とする請求項１に記載の旅行マーケティングデータ提供システム。
【請求項７】
前記写真投稿者に対する前記閲覧者からの問合せや要望又は注文と、これらに対する前記写真投稿者の回答又は受注状況を記録し、問合せや要望又は注文並びに回答又は受注状況の内容や頻度に応じた前記写真投稿者又は前記閲覧者に対する課金手段をさらに備えることを特徴とする請求項１に記載の旅行マーケティングデータ提供システム。
【発明の詳細な説明】
【技術分野】
【０００１】  本発明は、写真投稿者から投稿される投稿情報及びそれらに関連するデータの閲覧者数及び閲覧者の閲覧回数並びに閲覧者の書き込みコメントと閲覧者の属性とを照合し統計分析した当該統計分析情報を観光企画を行うマーケティング需要者に対し提供するシステムに関する。
【背景技術】
【０００２】  特許文献１に示すように、自宅に居ながらにして希望の観光地の現在の状況をリアルタイムの映像で提供することにより、遠隔のユーザーがあたかもその観光地に実際に行っているような感動や臨場感を得ることができる。
【先行技術文献】
【特許文献】
【０００３】
【特許文献１】特開２００２−２２３４３２号公報
【発明の概要】
【発明が解決しようとする課題】
【０００４】  特許文献１に示すような、在宅旅行システムには次のような問題点がある。
（イ）映像等を提供している観光地の関係者等は、当該観光地の映像を閲覧する遠隔のユーザー数及びユーザーの属性並びにユーザーが注目しやすいキーワードや、周辺の観光地で閲覧者数及び閲覧回数の多い場所の情報を知ることができない。
（ロ）観光地等の映像や音声を提供するためのカメラ、マイクの設置コスト及び維持管理コストが非常に高額である。【０００５】  本発明は、これらの問題点を解決するためになされたものであり、観光地の写真や映像及びそれらに関するデータを写真提供者がインターネットを通じて随時、安価にアップロードして提供し、当該写真又は映像の閲覧状況や閲覧者の属性等のデータを統計分析し、当該観光地に誘致したい観光協会及び地方自治体並びに企画旅行会社をはじめとする観光企画を行うマーケティング需要者にマーケティングデータとして提供する旅行マーケティングデータ提供システムを実現することを目的とする。
【課題を解決するための手段】
【０００６】  上記課題を解決するために、写真投稿者が投稿情報及び前記投稿情報に関連するデータを投稿するための投稿者端末と、
前記投稿情報を格納するデータベースと、
前記データベースに格納された前記投稿情報を閲覧者が閲覧する閲覧者端末と、
前記閲覧者端末より前記閲覧者の属性情報を取得する閲覧者属性情報取得手段と、
前記閲覧者属性情報取得手段により取得した前記閲覧者属性情報を格納する属性情報データベースと、
前記閲覧者端末より前記閲覧者の閲覧情報を取得するログデータ取得手段と、
前記閲覧者の閲覧情報を取得するログデータ取得手段により取得したログデータを格納するログデータベースと、
前記ログデータベースと前記属性情報データベースに格納された情報を照合し統計分析する分析システムと、
観光企画を行うマーケティング需要者端末と前記分析システムとを接続する通信手段と、
前記分析システムによる統計分析情報を閲覧するための前記マーケティング需要者端末と
を備える旅行マーケティングデータ提供システム。【０００７】  上記課題を解決するために、前記投稿者端末がＧＰＳ情報を含む投稿情報を投稿するためのアプリケーションをさらに備えることを特徴とする前記旅行マーケティングデータ提供システム。【０００８】  上記課題を解決するために、前記閲覧者端末が、閲覧者の住所、性別、生年月日、家族構成、職業をはじめとする閲覧者の属性を登録するためのアプリケーション及び閲覧する地名やカテゴリーの指定をするためのアプリケーションをさらに備えることを特徴とする前記旅行マーケティングデータ提供システム。【０００９】  上記課題を解決するために、前記マーケティング需要者端末の利用状況に応じたマーケティング需要者に対する課金手段をさらに備えることを特徴とする前記旅行マーケティングデータ提供システム。【００１０】  上記課題を解決するために、前記閲覧者端末からの閲覧頻度の高い投稿情報及び前記投稿情報に関連するデータを自動的に組み合わせ、閲覧者端末におすすめ旅行コース又はおすすめスポット情報を提供する、おすすめコース等設定システムをさらに備えることを特徴とする前記旅行マーケティングデータ提供システム。【００１１】  上記課題を解決するために、前記投稿者端末の投稿状況又は前記閲覧者端末の閲覧状況に応じた前記写真投稿者又は前記閲覧者に対する課金手段をさらに備えることを特徴とする前記旅行マーケティングデータ提供システム。【００１２】  上記課題を解決するために、前記写真投稿者に対する前記閲覧者からの問合せや要望又は注文と、これらに対する前記写真投稿者の回答又は受注状況を記録し、問合せや要望又は注文並びに回答又は受注状況の内容や頻度に応じた前記写真投稿者又は前記閲覧者に対する課金手段をさらに備えることを特徴とする前記旅行マーケティングデータ提供システム。
【発明の効果】
【００１３】  本発明によれば、写真投稿者が投稿した写真、映像及びそれらに関連するデータを閲覧者がどのくらい閲覧したか、閲覧者の住所地、年齢層、性別をはじめとする属性はどのようなものか、閲覧者は閲覧した写真、映像及びそれらに関連するデータに対してどのようなコメントの書き込みを行い、どのような反応を示しているか、というマーケティングデータを作成し、企画旅行の募集又は受注を行う旅行会社、地方自治体、観光協会をはじめとする観光地への誘致を目的とする活動を行っているマーケティング需要者に提供することができる。【００１４】  企画旅行の募集又は受注を行う旅行会社、地方自治体、観光協会をはじめとする観光地への誘致を目的とする活動を行っている団体は、従来、勘や経験又は新たな交通機関の開通や新たな大規模施設の開業等の社会的要因により、観光地への誘致時期や誘致方法を検討し告知してきたが、本発明によれば、ある１つの観光地に対して興味を持つ人が、どのような属性を持ち、どのくらい存在するのか、ということを数値で表すことができ、合理的根拠に基づいた旅行に関するマーケティングが可能となることにより効率的かつ能動的な観光地への誘致が可能となる。【００１５】  本発明によれば、日本各地又は世界各地の写真、映像を本発明の旅行マーケティングデータ提供システムに集めるために、本発明の旅行マーケティングデータ提供システム運営者が自ら高額なコストを負担してカメラやマイクを設置することなく、写真撮影愛好家や、地元観光地への誘致を目的とした活動を行っている地方自治体、観光協会等をはじめとする観光地への誘致を目的とする活動を行っている団体から、最新の、又は四季折々の写真、映像を集めることができる。さらに、写真、映像に関するデータやコメント等といった付加情報をも収集し、閲覧者に提供することが可能となる。
【図面の簡単な説明】
【００１６】
【図１】本発明の実施形態のシステムの全体構成を示す図である。
【図２】本発明の実施形態を示す図である。
【図３】写真投稿者が写真投稿者端末を利用して閲覧することができる画面のイメージ図である。
【発明を実施するための形態】
【実施例１】
【００１７】  以下、図面に基づいて本発明の実施形態を説明する。図１は本発明の旅行マーケティングデータ提供システムの全体構成を示す図である。図１に示すように、本発明である旅行マーケティングデータ提供システムは、インターネット１と、写真投稿者端末２と、閲覧者端末３と、属性情報データベース４と、投稿情報データベース５と、ログデータベース６と、おすすめコース等設定システム７と、分析システム８と、マーケティングデー需要者端末９とで構成されている。インターネット１は、地球規模のコンピュータ通信ネットワークであるインターネットである。写真投稿者端末２は、観光地の写真、映像及びそれらに関連するデータを投稿する写真投稿者が利用する携帯電話、スマートフォン、タブレット型端末又は一般的なパーソナルコンピュータである。閲覧者端末３は、写真投稿者が投稿した写真、映像及びそれらに関連するデータを閲覧するため閲覧者が利用する携帯電話、スマートフォン、タブレット型端末又は一般的なパーソナルコンピュータである。属性情報データベース４は、写真投稿者及び閲覧者が本発明の旅行マーケティングデータ提供システムを利用する最初の段階において、閲覧者の氏名、住所、性別、生年月日、家族構成、職業をはじめとする属性情報を蓄積するための属性情報データベースである。投稿情報データベース５は、写真投稿者が投稿する写真、映像及びそれらに関連するデータを蓄積する投稿情報データベースである。ログデータベース６は、投稿情報データベースに蓄積された情報の閲覧者数、閲覧回数、閲覧時間、閲覧者により書き込みされたコメント情報を蓄積するログデータベースである。おすすめコース等設定システム７は、ログデータベース６に蓄積された閲覧者数、閲覧回数、閲覧時間、閲覧者により書き込みされたコメント情報に基づいて、閲覧者の閲覧頻度が高く、閲覧時間が長い観光地で、比較的近くに存在する観光地や同じカテゴリーに属する観光地に関する写真、映像及びそれらに関連するデータを自動的に選択し、おすすめ旅行コース又はおすすめスポットとして閲覧者に対して閲覧可能とするおすすめコース等設定システムである。分析システム８は、どのような閲覧者が、どの観光地の写真、映像及びそれらに関連するデータをどのような頻度、時間で閲覧したのかという内容について、属性情報データベース４とログデータベース６に蓄積された情報を照合し統計分析する分析システムである。マーケティング需要者端末９は、分析システム８で統計分析した結果を表示するためのマーケティングデータ需要者の携帯電話、スマートフォン、タブレット型端末又は一般的なパーソナルコンピュータである。【００１８】  図２は本発明の実施形態を説明する図である。写真投稿者は、写真投稿者端末２を利用し、自己の氏名、住所、性別、生年月日、家族構成、職業をはじめとする閲覧者の属性情報を属性情報データベース４に登録する。登録後、写真投稿者は、写真投稿者端末２を利用し、自己の旅の記録、地元の観光コースや観光スポット情報の写真、映像及びそれらに関連するデータを投稿し、それら情報は、投稿情報データベース５に蓄積される。投稿情報データベース５に蓄積された情報は、本発明の旅行マーケティン��データ提供システム運営者が設定した一定のテンプレート上に掲載され、閲覧者端末３に表示される。閲覧者は、閲覧者端末３を利用し、自己の氏名、住所、性別、生年月日、家族構成、職業をはじめとする属性情報を属性情報データベース４に登録する。登録後、閲覧者は、閲覧者端末３を利用し、閲覧する場所の地名やカテゴリーの指定をすることによって、写真投稿者が投稿した写真、映像及びそれらに関連するデータを閲覧すること及びそれらに対するコメントの書き込みが可能となる。閲覧者が閲覧対象とした写真、映像及びそれらに関連するデータの閲覧頻度、閲覧時間、閲覧者により書き込まれたコメント情報は、ログデータベース６に蓄積される。おすすめコース等設定システム７は、ログデータベース６に蓄積された閲覧者数、閲覧回数、閲覧時間、閲覧者により書き込みされたコメント情報に基づいて、閲覧者の閲覧頻度が高く、閲覧時間が長い観光地で、比較的近くに存在する観光地や同じカテゴリーに属する観光地に関する写真、映像及びそれらに関連するデータを自動的に選択し、おすすめ旅行コース又はおすすめスポットとして閲覧者端末に表示する。おすすめ旅行コース又はおすすめスポットに対する閲覧者の閲覧情報もまた、ログデータベース６に蓄積される。属性情報データベース４に蓄積された閲覧者の属性情報と、ログデータベース６に蓄積された閲覧者数、閲覧回数、閲覧時間、閲覧者により書き込みされたコメント情報が、分析システム８によって照合、統計分析され、ある１つの観光地又は一定範囲内の複数の観光地の写真、映像及びそれらに関連するデータが、どのような閲覧者に、どの程度閲覧され、どのような反応を示しているのかというマーケティングデータが作成される。当該マーケティングデータは、マーケティングデータ需要者端末９に表示され、マーケティングデータ需要者が閲覧可能となる。【００１９】  図３は、写真投稿者が写真投稿者端末２を利用して閲覧することができる画面のイメージ図である。本発明の旅行マーケティングデータ提供システムは、写真投稿者の投稿情報を増加させることにより、より正確なマーケティングデータが作成可能となるため、写真投稿者の投稿意欲を増大させることが必要である。写真投稿者が、自己の投稿した写真、映像及びそれらに関連するデータの閲覧順位と、すべての写真投稿者の投稿情報の中で閲覧順位が高い写真、映像及びそれらに関連するデータを比較することにより投稿意欲を増大するように、写真投稿者は、写真投稿者端末２を利用して、ログデータベース６に蓄積された情報のうち、自己が投稿した写真、映像及びそれらに関連するデータに関するログ情報と、すべての写真投稿者の投稿情報の中で閲覧順位が高い写真、映像及びそれらに関連するデータのログデータを閲覧することを可能とする。【００２０】  図２には記載していないが、本発明の旅行マーケティングデータ提供システムは、写真投稿者が投稿する写真、映像及びそれらに関連するデータの投稿状況と、閲覧者の閲覧状況と、マーケティングデータ需要者のマーケティングデータ閲覧量に応じて利用料金を算出し課金する手段を含んでいる。また、写真投稿者に対する閲覧者の問合せや要望、注文と、それらに対する写真投稿者の���答、受注状況の記録が、ログデータベース６に蓄積され、本発明のマーケティングデータ提供システム運営者が閲覧することを可能とし、さらに閲覧者の問合せや要望、注文及び写真投稿者の回答、受注状況に応じて利用料金を算出し、写真投稿者又は閲覧者に対して課金できる手段を含むよう構成してもよい。
【実施例２】
【００２１】  本発明の旅行マーケティングデータ提供システムにおいては、観光地に所在するホテル、レストランをはじめとする施設経営者が、地元観光地と併せて自己の経営する施設の広告をするために、写真投稿者として写真、映像及びそれらに関連するデータを投稿することも考えられる。その際には、当該施設の割引クーポン等を掲載することにより、自己の経営する施設へ実際に誘導することも可能となる。【００２２】  本発明の旅行マーケティングデータ提供システムにおいては、企画旅行の募集又は受注を行う旅行会社、地方自治体、観光協会をはじめとする観光地への誘致を目的とする活動を行っている団体が、自己の想定する旅行コースを旅の記録又は推奨旅行コースとして投稿し、当該想定に対する閲覧者の閲覧状況を把握することによるマーケティング活動を行うことが可能となる。本発明の旅行マーケティングデータ提供システムを利用するマーケティング手法は、従来、ほとんどの旅行会社等が行っていない、安価に客観的数値で表すことができる旅行に関するマーケティング手法である。
【実施例３】
【００２３】  本発明の旅行マーケティングデータ提供システムは、閲覧者を増加させることにより、より正確なマーケティングデータが作成となるため、娯楽性を増大させ、閲覧者を増加させるため、以下のような旅行に関するゲームを付加した構成にしてもよい。【００２４】  ゲーム参加者は、自己の飼育するペット又は自己のアバターの写真（ＧＰＳによる位置情報を保持する写真をいい、以下「アバター等」という）を本発明の旅行マーケティングデータ提供システムの擬似旅行ゲームコーナーにアップロードするとともに、アバター等に日本各地又は世界各地を旅行させるために、擬似旅行ゲームコーナー上に旅行の目的地を提示する。擬似旅行ゲームコーナーはすべての写真投稿者及び閲覧者が閲覧可能とする。擬似旅行ゲームコーナーを閲覧する写真投稿者のうち、アバター等の旅行に協力したい者が、旅行の目的地の途中地点の観光地等の写真でＧＰＳによる位置情報を保持するものを投稿し、投稿した写真の中にアバター等を合成し、当該写真の撮影地点に係るＧＰＳによる位置情報を付加することにより、アバター等は次の地点へ移動する。合成することができる地点の写真は、アバター等の位置から「３０ｋｍ以内」などの制限を設けることにより、アバター等が一気に旅行の目的地に到達できないようゲーム性を高める。移動したアバター等の現在地点は、擬似旅行ゲームコーナーの地図上に表示され、次の地点への移動に協力する写真投稿者を広く求めることができる。次の地点への移動に協力する写真投稿者は、アバター等の写真からアバターのみを切り取り、自己の投稿した写真にアバター等を合成し、当該写真の撮影地点に係るＧＰＳによる位置情報を付加する。移動したアバター等の位置は、再び擬似旅行ゲームコーナーの地図上に表示される。この作業を繰り返し、移動距離制限付きのアバター等の移動を複数の写真投稿者が連携、継続し、アバター等の旅行を完了する。ゲーム参加者は、アバター等の旅行が完了した時点で、当該アバター等の擬似的旅行の全行程の写真をフォトブックやカレンダーとして購入可能とする。【００２５】  ゲーム参加者は、擬似旅行ゲームコーナーにおいて、アバター等の旅行の目的地を指定する代わりに、本発明の旅行マーケティングデータ提供システム運営者があらかじめ設定した「東海道五十三次コース」や「東北復興支援コース」等の「目的地と通過地点を予め定めたテーマ別コース」を選択することも可能とする。この場合、本発明の旅行マーケティングデータ提供システムの機能により、コースのテーマに適合する一定の距離の範囲内で撮影された、複数の写真投稿者の投稿写真を閲覧者に対して自動的に推薦し、ゲーム参加者は推薦された写真を任意に選択しながら旅行を完了する。【００２６】  「目的地と通過地点を予め定めたテーマ別コース」とは別に、「高級ホテル宿泊コース」や「公共機関のみ利用コース」等の旅行中の行動制限を付加したコースの設定を含むよう構成してもよい。旅行中の行動制限を付加したコースにおいては、アバター等が旅行を始める時点で「旅フォトコイン」と呼ばれる擬似的金銭を保有し、擬似的旅行の途中で交通費、宿泊費、飲食費を支払うことにより旅フォトコインを消費し、目的地到着時の保有コ���ン量によりランキング表示を行い、娯楽性を高める。この旅行中の行動制限を付加したコースにおいて、行動制限の内容に適合した商業施設及び宿泊施設の運営者又は経営者に対して、写真投稿者としての参加を促し、当該施設で使用可能な各種クーポンの提供を行うことにより、現地に実際に誘導することが可能となる。【００２７】  実施例３においては、ゲームに参加する利用料金を算出して課金する手段を備えるとともに、ゲーム参加者の目的地設定や、各種コースにおけるゲーム参加者の写真選択パターンについても統計分析することによりマーケティングデータを作成し、マーケティングデータ需要者に提供するための分析システムを含む構成としてもよい。
【符号の説明】
【００２８】  １・・・インターネット
２・・・写真投稿者端末
３・・・閲覧者端末
４・・・属性情報データベース
５・・・投稿情報データベース
６・・・ログデータベース
７・・・おすすめコース等設定システム
８・・・分析システム
９・・・マーケティングデータ需要者端末
１０・・・閲覧者端末での閲覧可能内容イメージ
１１・・・投稿者端末での閲覧可能内容イメージ
【要約】
【課題】本発明は、企画旅行の募集又は受注を行う旅行会社、地方自治体、観光協会をはじめとする観光地への誘致を目的とする活動を行っている団体に対して、日本各地又は世界各地の名所、名物、催事等の観光資源に関し、注目度、人々が着目しやすいキーワード、周辺観光地と組み合わせた観光ルート等のマーケティングデータの提供を容易にする。
【解決手段】写真投稿者が、旅行記録の開示又は観光地への誘致を目的として、日本各地又は世界各地のＧＰＳ情報付の写真、映像及びそれらに関連するデータを投稿情報データベースに登録する。自己の属性を属性情報データベースに登録した閲覧者の投稿情報に対する閲覧頻度と、写真、映像及びそれらに関連するデータに対し書き込んだコメントと、閲覧者の属性情報を照合し、統計分析を行うことによりマーケティングデータを作成し、企画旅行の募集又は受注を行う旅行会社、地方自治体、観光協会をはじめとする観光地への誘致を目的とする活動を行っている団体に対して、当該マーケティングデータを提供する。
【選択図】図２【図１】
0005839313.tif 000002
【図２】
0005839313.tif 000003
【図３】
0005839313.tif 000004